(57)【要約】【課題】スラリーなどから得られる試料の粒子径を精度よく測定できる動的光散乱式粒子径分布測定装置１００を提供する。【解決手段】光源４、セル２及び受光素子５の間のいずれかに介在して通過する光を減衰させるフィルタ部材６と、経時的に複数回に亘って粒子径分布を測定するとともに、各測定で得られた粒子径分布を合成することによって、それら測定の間に導入された試料全体の粒子径分布を算出する情報処理装置８とを具備したものにおいて、前記フィルタ部材６を各測定の都度、減衰度の異なるものに変更可能に構成した。【選択図】図１
2017142240.tif 000002
【特許請求の範囲】
【請求項１】
媒質と該媒質中に分散した粒子からなる試料が逐次導入されるセルと、
測定光を射出する光源と、
測定光が照射された粒子からの散乱光を受光してその強度を検出する受光素子と、
前記光源からセルに至る測定光又は前記セルから受光素子に至る散乱光の光路上の所定箇所に配置されて、前記測定光又は散乱光を減衰させるフィルタ部材と、
前記受光素子によって検出された散乱光強度の揺らぎ及びフィルタ部材による減衰度に基づいて、前記セル中の試料の粒子径分布を測定する測定部とを具備し、
前記測定部は、前記試料がセルに導入される都度その粒子径分布を測定するとともに、前記各測定で得られた粒子径分布を合成することによって、それら複数回に亘る測定の間に導入された試料全体の粒子径分布を算出するものであり、
前記フィルタ部材を、前記各測定の都度、減衰度の異なるものに変更可能に構成してあることを特徴とする粒子径分布測定装置。
【請求項２】
変更可能な各フィルタ部材の減衰度を示す減衰度データがメモリの所定領域に記憶されており、
前記測定部が、各測定の際に使用されているフィルタ部材の減衰度データを前記メモリから取得するとともに、取得した減衰度データが示す減衰度に基づいて、前記セル中の試料の粒子径分布を測定するものである請求項１記載の粒子径分布測定装置。
【請求項３】
前記受光素子で検出された散乱光強度が、所定範囲外にあった場合に、フィルタ部材を交換する旨を報知することを特徴とする請求項１又は２記載の粒子径分布測定装置。
【請求項４】
前記所定箇所に配置されているフィルタ部材を退避させ、減衰度の異なる別のフィルタ部材を該所定箇所に配置するフィルタ部材変更機構をさらに具備し、
前記受光素子で検出された散乱光強度が所定範囲外にある場合には、前記フィルタ部材変更機構が、前記測定に先立って、所定箇所に配置されているフィルタ部材を異なる減衰度のもの交換するように構成してある請求項１、２又は３記載の粒子径分布測定装置。
【請求項５】
媒質と該媒質中に分散した粒子からなる試料が逐次導入されるセルと、測定光を射出する光源と、測定光が照射された粒子からの散乱光を受光してその強度を検出する受光素子と、前記光源からセルに至る測定光又は前記セルから受光素子に至る散乱光の光路上の所定箇所に配置されて、前記測定光又は散乱光を減衰させるフィルタ部材と、前記受光素子によって検出された散乱光強度の揺らぎ及びフィルタ部材による減衰度に基づいて、前記セル中の試料の粒子径分布を測定する測定部とを具備した粒子径分布測定装置を用いた粒子径分布測定方法であって、
前記測定部によって、前記試料がセルに導入される都度その粒子径分布を測定し、前記一連の各測定で得られた粒子径分布を合成することによって、それら複数回に亘る測定の間に導入された試料全体の粒子径分布を算出するとともに、前記フィルタ部材を、前記各測定の都度又はその一部の測定において、減衰度の異なるものに変更することを特徴とする粒子径分布測定方法。
【発明の詳細な説明】
【技術分野】
【０００１】
本発明は、媒質に分散させた粒子群に測定光を照射したときに得られる散乱光の強度の揺らぎに基づいて粒子径分布を測定する、いわゆる動的光散乱式粒子径分布測定装置及び動的光散乱式粒子径分布測定方法に関するものである。
【背景技術】
【０００２】
試料中に含まれる粒子の粒子径分布を測定する粒子径分布測定装置には、例えば特許文献１や特許文献２に示されるように種々のタイプのものがある。
かかる粒子径分布測定装置のうち、いわゆる動的光散乱式のものにおいて、試料を逐次サンプリングしてセルに導入し、その都度粒子径を測定する連続測定タイプのもの（もっとも、１回の粒子径分布測定に一定の測定時間が必要であるから、厳密には連続測定ではなく、逐次測定ではあるが。）が旧来知られている。
【０００３】
このとき、サンプリングされる試料の粒子径や濃淡が、サンプリングの都度、徐々に変動していき、試料の粒子径分布を特定できない場合がある。
例えば、特許文献３に示すような、半導体ウェハを研磨する研磨剤を含んだスラリータイプの試料の場合にこの現象が生じ得る。すなわち、スラリーは、十分に攪拌されていないと、局所的に粒子径分布が異なる現象が生じる。そうすると、例えば、スラリーの貯留槽におけるサンプリング箇所に依存して、粒子径分布が時間的に徐々に変動していくこととなる。
【０００４】
例えば、前記貯留槽に収容されたスラリーにおいて、上部に粒子径の小さな粒子群が偏在し、底部には粒子径の大きな粒子群が偏在している状態で、貯留層上部からスラリーをサンプリングした場合には、どうしても、最初は径の小さな粒子群が導入され、時間を経るにつれ、径の大きな粒子群が導入されることとなる。したがって、上述したように、サンプリングの都度、粒子径分布が徐々に変動していくこととなる。
【０００５】
このような場合は、前記特許文献１の請求項３に記載されているように、試料を連続的に導入しながら間欠的に複数回粒子径分布を測定し、各測定で得られた粒子径分布を合成することによって、試料全体の粒子径分布を算出することが行われている。
【０００６】
一方、このようにして合成により粒子径分布を求める手法は、粒子径分布をより精度良く測定できるという利点もある。その理由は以下のとおりである。
【０００７】
すなわち、粒子径分布のスペクトルは、最終的には、ソフトウェアによるフィッティングで求められるが、複数の粒子径ピークが存在する場合は、フィッティングがより難しくなり、例えば、小さな山が隣接する大きな山に吸収されるなどしてその測定精度に限界が生じる。これに対し、合成粒子径分布測定によれば、各測定においての粒子径ピークが少ないため、容易且つ精度の高いフィッティングが可能になる。
【先行技術文献】
【特許文献】
【０００８】
【特許文献１】特開平８−１３６４３９号公報
【特許文献２】特開２００５−２４９７５９号公報
【特許文献３】特開２００２−２２６４４号公報
【発明の概要】
【発明が解決しようとする課題】
【０００９】
しかしながら、測定対象となる試料によっては、合成粒子径分布を求めるための一連の各測定において、粒子径分布や濃淡が大きく変わるので、前記各測定で生じる散乱光強度が大きく変動する場合がある。
【００１０】
そうすると、例えば各測定のうち、最も散乱光強度が強い測定回に散乱光強度を検出する受光素子の帯域を合わせると、散乱光強度が小さい測定回でのＳＮ比が悪くなって所望の測定精度が得られなくなるし、逆に散乱光強度が小さい測定回に受光素子の帯域を合わせると、散乱光強度が強い測定回において受光素子の出力が飽和して測定不能になるといった不具合が生じ得る。
【００１１】
本発明は、かかる不具合に鑑みてなされたものであって、連続測定可能な動的光散乱式粒子径分布測定装置において、スラリーなどのように、測定の都度、粒子径分布が変動していくような試料の粒子径分布を、より精度良く測定できるようにすることをその主たる所期課題としたものである。
【課題を解決するための手段】
【００１２】
すなわち、本発明に係る粒子径分布測定装置は、媒質と該媒質中に分散した粒子からなり、粒子径又は濃度に応じた時間分布をもって到達する試料が逐次導入されるセルと、測定光を射出する光源と、測定光が照射された粒子からの散乱光を受光してその強度を検出する受光素子と、前記光源からセルに至る測定光又は前記セルから受光素子に至る散乱光の光路上の所定箇所に配置されて、前記測定光又は散乱光を減衰させるフィルタ部材と、前記受光素子によって検出された散乱光強度の揺らぎ及びフィルタ部材による減衰度に基づいて、前記セル中の試料の粒子径分布を測定する測定部とを具備したものである。
【００１３】
そして、前記測定部が、前記試料がセルに導入される都度その粒子径分布を測定するとともに、前記各測定で得られた粒子径分布を合成することによって、それら複数回に亘る測定の間に導入された試料全体の粒子径分布を算出するものであり、前記フィルタ部材を、前記各測定の都度、減衰度の異なるものに変更可能に構成してあることを特徴とする。
【００１４】
ここで、変更とは、フィルタ部材を減衰度の異なるものと交換する他、フィルタ部材の重ね合わせ枚数を増減して減衰度を異ならせるようにすること等も含む。
【発明の効果】
【００１５】
このように構成した本発明によれば、粒子径分布測定において、一連の複数回の粒子径分布測定を合成することによる前述した基本的効果に加え、各測定において適切な減衰度のフィルタ部材を用いることによって、受光素子の感度の良い帯域を常に用いることができるので、各測定における精度を向上させることが可能になり、ひいては合成した粒子径分布の精度を向上させることができるようになる。
【図面の簡単な説明】
【００１６】
【図１】本発明の一実施形態における粒子径分布測定装置の概要図。
【図２】同実施形態における粒子径分布測定装置をより詳細に示す全体図。
【図３】同実施形態における情報処理装置の機能ブロック図。
【図４】同実施形態における粒子径分布測定装置の動作を示すフローチャート。
【発明を実施するための形態】
【００１７】
以下に本発明の一実施形態における粒子径分布測定装置１００について図面を参照して説明する。
【００１８】
まず、概要を説明する。
この粒子径分布測定装置１００は、図１に示すように、粒子群を水等の液状分散媒に拡散させてなる試料を逐次サンプリングしてセル２に導入し、サンプリングの都度、セル２内の試料の粒子径分布を次々測定するとともに、これら一連の各測定で得られた粒子径分布を合成し、その合成した粒子径分布をもって、試料全体の粒子径分布とするものである。ここでは、動的光散乱法を用いている。すなわち、各測定において、光源４から測定光を試料の粒子群に照射して散乱させ、その散乱光の強度を受光素子５で検出し、情報処理装置８によって、前記散乱光強度の揺らぎから粒子径分布を測定するようにしてある。また、セル２から受光素子５に至る散乱光の光路上にフィルタ部材６を配置して受光素子５で受光される散乱光の強度を各測定ごとに調整できるようにしてある。
【００１９】
より具体的に説明する。
この粒径分布測定装置１は、図２に示すように、前記試料が導入されるセル２と、前記セル２中の試料に対し、その外側からバス３を介して、測定光であるレーザ光Ｌを照射する光源４と、前記レーザ光Ｌを照射された粒子群から発される散乱光Ｓを受光してその強度を検出する受光素子５と、前記セル２及び受光素子５の間の光路上に配置されて、通過する散乱光を減衰させるフィルタ部材６と、前記受光素子５で検出された散乱光強度を示す信号を受信し、該散乱光強度の揺らぎ及びフィルタ部材６による減衰度に基づいて、前記セル２中の試料の粒子径分布を測定する情報処理装置８とを具備したものである。
【００２０】
前記セル２は、透明壁で形成した中空のいわゆるフローセルタイプのものである。このセル２には、当該セル２に試料を導入するための導入配管７１と、該セル２から試料を導出するための導出配管７２とが接続されている。そして、前記導入配管７１及び導出配管７２には。それぞれ図示しない開閉バルブが設けてあり、これら開閉バルブを開閉することによって、このセル２に試料が断続的に導入及び導出されるように構成してある。
【００２１】
該セル２は、ここでは、バス３に液漬させてある（バス３は必ずしも必要ではない。）。該バス３は、密閉可能な中空壁体３１の内部に、セル２と近似又は同一の屈折率を有した透明液体を充填したもので、その内部中央にセル２を収容する。前記壁体３１は不透明な例えば金属材料で形成してあり、レーザ光Ｌの光路上及び散乱光Ｓの光路上にはそれぞれ光透過用のレーザ光用窓３２及び散乱光用窓３３が設けてある。なお、レーザ光用窓３２の反対側の壁体３１に設けられた符号３４は、セル２を透過したレーザ光Ｌを減衰させて反射を抑制する光ストッパである。またこの実施形態では、レーザ光Ｌと散乱光Ｓとの光路を異ならせている（図１では各光路が直交するようにしている）が、合致するようにしても構わない。
【００２２】
前記光源４は、例えば半導体レーザである。光源としてはその他、ＬＥＤやハロゲンランプなどでも構わない。この光源４から射出されるレーザ光Ｌは、測定光案内機構４ａによって、セル２内部の所定の光照射領域（例えば中央）に集光される。この測定光案内機構９Ａは、例えば集光レンズ等から構成される。
【００２３】
前記受光素子５は、例えば光電子倍増管（ＰＭＴ）であるが、その他ＣＣＤやＣＭＯＳ等の光センサでも構わない。この受光素子５には、粒子群から発された散乱光Ｓが、散乱光案内機構５ａによって導かれる。この散乱光案内機構５ａは、一対のピンホール間にレンズを配置したものである。
【００２４】
前記フィルタ部材６は、通過する散乱光を所定の減衰率で減衰させる板状をなすものである。ここでは、フィルタ部材６として波長選択性のない光吸収物質をガラス中に分散させた吸収型のＮＤフィルタを用いている。フィルタ部材６としては、その他に反射型のものも考えられるが、その場合は反射光が再度セル２に照射されて散乱光が発生することを防止する構造が別途必要となるので、ここでは、前述した吸収型のものを用いている。
【００２５】
なお、この実施形態では、図２に示すように、減衰度の異なる複数のフィルタ部材６が設けてある。これら複数のフィルタ部材６は、フィルタ部材変更機構１に搭載されている。
【００２６】
フィルタ部材変更機構１は、散乱光光路上の所定箇所に配置されているフィルタ部材６を退避させ、別のフィルタ部材６を当該所定箇所に配置するものであり、例えば、減衰度が互いに異なる複数のフィルタ部材６を支持するフィルタ支持体１１と、該フィルタ支持体１１をスライド又は回転させて、所望のフィルタ部材６を前記所定箇所に移動させるモータや送りねじ機構などから構成された駆動機構（図示しない）とを具備したものである。
【００２７】
前記情報処理装置８は、図示しないが、ＣＰＵ、メモリ、通信ポート（入出力ポート）などからなるデジタル回路と、増幅器、バッファなどからなるアナログ回路と、これらデジタル回路及びアナログ回路の仲立ちをするＡＤコンバータやＤＡコンバータとからなる電気回路で構成されたものである。前記通信ポートには、図示しないが、キーボード、マウスなどの入力デバイスや、ディスプレイなどの表示デバイスが接続されており、オペレータによる操作が可能なように構成してある。
【００２８】
この情報処理装置８は、前記メモリに記憶された所定のプログラムにしたがって動作することにより、セル２に試料を逐次導入させるとともに、試料がセル２に導入される都度粒子径分布を測定し、これら一連の各測定でそれぞれ得られた粒子径分布を合成することによって、それら一連の測定の間に導入された試料全体の粒子径分布を算出する測定部８１や、試料のセル２への導出入を制御する、ドライブ回路を含んだサンプリング制御部８２、前記フィルタ部材変更機構１を制御する、ドライブ回路を含んだフィルタ制御部８３等としての機能を発揮するものである。
【００２９】
それら機能を、該情報処理装置８の動作説明を兼ねて、図３を参照しながら具体的に説明する。なお、以下では、前記一連の測定を構成する一つ一つの測定を単位測定ともいう。
【００３０】
まず、オペレータが、例えばディスプレイに表示された設定画面の指示にしたがって、測定条件を設定する。測定開始条件とは、例えば測定開始時刻、前記単位測定の回数、各単位測定間の待機時間等である。
【００３１】
次に、オペレータが、例えばディスプレイに表示された測定スタートアイコンをクリックすると、これを情報処理装置８が受け付けて、一連の測定が開始される。
【００３２】
しかして、前記情報処理装置８は、前記各単位測定にそれぞれ先立って、フィルタ部材６を適切な減衰度のものに設定する。
【００３３】
すなわち、情報処理装置８は、まず、導入配管７１のバルブを予め定めた一定時間だけ開放駆動して、試料をセル２に導入する（ステップＳ１）。なお、バルブの開放時間を一定にするのではなく、例えば透過光強度をモニタし、その透過光強度が所定の閾値を下回ったときにバルブを止めるようにするなど、試料が粒子径分布を測定可能な程度にまでセル２に導入されているかどうかをモニタし、そのモニタ結果に応じてバルブを開閉駆動するようにしてもよい。
【００３４】
次に情報処理装置８は、受光素子５から出力される光強度信号を受信し、その値である検出散乱光強度が、予め定められた所定範囲内であるかどうかを判断する（ステップＳ２、Ｓ４）。所定範囲とは、当該受光素子５における感度特性の優れた範囲、例えば、検出した散乱光強度が、実際の散乱光強度と再現性よく合致し、かつ分解能においても当該受光素子５の仕様特性を満たす範囲のことである。
【００３５】
しかして、前記検出散乱光強度が、前記所定範囲の上限（以下、上限閾値ともいう）を超えている場合、受光素子８で受光している散乱光の強度が、当該受光素子８の上限を上回っている（飽和している）と考えられるから、情報処理装置８は、現在のフィルタ部材６を、次に減衰度の高い別のフィルタ部材６に交換する（ステップＳ３）。なお、ここでは、デフォルト（初期状態）でのフィルタ部材６を、比較的減衰度の高いものに設定してある。受光素子５に高い強度の光がいきなり照射されてこれが破損する恐れを避けるためである。
【００３６】
すなわち、前記情報処理装置８は、所定の制御信号を送信して、このフィルタ部材変更機構１を制御し、現在のフィルタ部材６を、前記所定箇所から退避させる一方、退避させたフィルタ部材６の次に減衰度の高い別のフィルタ部材６を前記所定箇所に位置づける。
【００３７】
そして、受光素子５から光強度信号を再度受信し、その光強度信号が示す検出散乱光強度が、前記上限閾値以下となるまで、より減衰度の高いフィルタ部材６に交換する工程を繰り返す（ステップＳ２、Ｓ３）。
【００３８】
一方、検出散乱光強度が、前記所定範囲の下限（下限閾値）を下回っていた場合は、上限閾値の値を上回っていた場合と逆で、情報処理装置８は、フィルタ部材変更機構１を駆動制御して、検出散乱光強度の値が下限閾値以上となるまで、フィルタ部材６を、減衰度の低い別のフィルタ部材に順次交換する（ステップＳ４、Ｓ５）。この場合、検出散乱光強度によっては、前記情報処理装置８は、フィルタ部材６がない状態（全てのフィルタ部材６を所定箇所から退避させた状態）にまでフィルタ部材変更機構１を駆動する場合もある。なお、受光素子５に高い強度の光がいきなり照射されてこれが破損する可能性をできるだけ減らしたいのであれば、デフォルト（初期状態）でのフィルタ部材６を、最も減衰度の高いものに設定し、ステップＳ４、Ｓ５のみを繰り返してもよい。
【００３９】
このようにして、検出散乱光強度が前記所定範囲内になり、かつ、予め定めた測定タイミングになると（ステップＳ６）、情報処理装置８は単位測定を開始する（ステップＳ７）。
【００４０】
具体的には、所定期間における検出散乱光強度を取得し、その検出散乱光強度の値をフィルタ部材６の減衰度で除算して、真の散乱光強度を算出する。そして、前記所定期間における散乱光強度の時間揺らぎに基づいて粒子径分布を測定（算出）する。
このときの粒子径分布の算出手法については、種々ある既知のアルゴリズムのいずれかを適宜用いればよく、その詳細説明は、ここでは省略する。
【００４１】
なお、検出散乱光強度の時間揺らぎに基づいて、まずは仮の粒子径分布を測定（算出）した後、この仮の粒子径分布をフィルタ部材６の減衰度で除算して真の粒子径分布を算出するようにしてもよい。また、各単位測定において、仮の粒子径分布まで算出しておき、真の粒子径分布の算出は、各単位測定が終わった後の後述する合成演算時に行ってもよい。演算上は等価だからである。
【００４２】
なお、フィルタ部材６の減衰度は、その製造メーカが公表している値を用いてもよいが、ある程度のばらつきがあるため、ここでは、搭載される各フィルタ部材６の減衰度をそれぞれ、予め実際に測定して求め、その減衰度を示す減衰度データを例えば、フィルタ部材８の識別子と対にしたテーブルにしてメモリの所定領域に記憶させている。そして、前記情報処理装置８は、各単位測定の際に使用されているフィルタ部材６の減衰度データを前記テーブルから取得し、その減衰度データが示す減衰度を前記粒子径分布の算出に用いるようにしている。
【００４３】
この単位測定で得られた粒子径分布は、例えば縦軸を体積又は粒子数、横軸を粒子径としたスペクトルで表されるものであり、この粒子径分布に係るデータは、その測定時刻又は何回目の単位測定かという情報と紐付けられてメモリの所定領域に格納される（ステップＳ８）。
このようにして最初の単位測定が終了する。
【００４４】
その後、情報処理装置８は、ステップＳ１に戻り、バルブを駆動して、測定が終了した試料をセル２から排出しセル２内に新たな試料を導入する。そして、次の単位測定に先だって、前述したと同様に適切な減衰度のフィルタ部材６を選択する。次に、所定の測定開始タイミングになると、情報処理装置８は、前述したと同様の単位測定を行い、それによって得られた粒子径分布データを、その測定時刻又は何回目の単位測定かという情報と紐付けてメモリの所定領域に格納する。
【００４５】
このようにして情報処理装置８は、単位測定を次々行っていくが、最初の測定条件でオペレータが定めた測定回数に達すると単位測定を終了し、情報処理装置８は、各単位測定で得られた粒子径分布データを前記メモリから取得してこれらを合成演算し、当該一連の測定でセルに導入された試料全体の粒子径分布を算出する（ステップＳ９、ステップＳ１０）。
【００４６】
しかしてこのようなものであれば、動的光散乱式粒子径分布測定において、一連の複数回の粒子径分布測定を合成することによる基本的効果に加え、各単位測定において適切な減衰度のフィルタ部材８を選択し、受光素子２の感度の良い帯域を常に用いるようにしてあるので、各単位測定における測定精度が向上し、ひいては合成した粒子径分布の精度を飛躍的に向上させることができるようになる。
【００４７】
なお本発明は前記実施形態に限られるものではない。
レーザ光の射出強度を例えば複数段階に変更可能に構成しても構わない。このようにすれば、レーザ光の射出強度変更とフィルタ部材の変更機構とが相俟って、測定レンジと測定精度をさらに高めることが可能になる。
【００４８】
各単位測定でのフィルタ部材の変更をオペレータが行うようにしてもよい。この場合は、前記受光素子で検出された散乱光強度が、所定範囲外である場合に、前記測定部によって、フィルタ部材を交換する旨を報知するように構成しておくことが好ましい。例えば、ディスプレイに、検出散乱光強度が上限閾値を超えている旨、又は下限閾値を下回っている旨を表示するといった態様が考えられる。この表示を見て、オペレータはフィルタ部材を減衰度の異なるものに変えれば良い。
【００４９】
スラリーの品質管理で用いられる場合など、試料の粒子径分布に所定の基準がある場合は、測定部で測定された粒子径分布が、その基準に合致するかしないかを判断し、その旨を報知（例えば表示するなど）する基準判断部としての機能を前記情報処理装置に設けてもよい。
【００５０】
基準に合致するかしないかを判断する具体的なアルゴリズムの一例としては、例えば基準となる粒子径分布と測定された粒子径分布とにおける各粒子径での強度差の絶対値や二乗値を算出し、その値が所定範囲内であれば基準に合致し、そうでなければ基準に合致しないと判断するものを挙げることができる。
【００５１】
また、例えば、粒子や夾雑物が含まれている試料等を測定部８１によって単位測定する場合（図４のステップＳ７）において、自己相関関数演算部、基準関数設定部、自己相関関数判定部をさらに備え、これらを用いて、受光素子５から出力される散乱光強度のうち不適切な散乱光強度を排除するようにしてもよい。
【００５２】
具体的には、自己相関関数演算部により、受光素子５から出力される散乱光強度をフーリエ変換してパワースペクトルを求め、当該パワースペクトルを逆フーリエ変換することで自己相関関数を演算する。次に、基準関数設定部により、前記自己相関関数演算部により演算された自己相関関数を取捨選択するための基準となる自己相関関数（以下、「基準関数」）を設定する。次に、自己相関関数判定部により、前記基準関数設定部により設定された基準関数と、前記自己相関関数演算部により演算された基準関数以外の自己相関関数（以下、「比較対象関数」）とを比較し、基準関数に対する比較対象関数のずれ量が所定範囲内か否かを判定する。そして、基準関数とのずれ量が所定範囲内と判断された比較対象関数に対応する散乱光強度の揺らぎ及びフィルタ部材による減衰率に基づいて、前記試料の粒子径分布を測定する。なお、基準関数は、試料とは異なる基準試料を測定して得られた自己相関関数、又は、試料を用いて測定して得られた自己相関関数である。後者の場合には、基準関数を求めるプレ測定と、プレ測定の後に試料から比較対象関数を求める本測定とを行う。
【００５３】
このようなものであれば、基準関数に対する比較対象関数のずれ量が所定範囲内と判定された比較対象関数に対応する散乱光強度に基づいて試料の粒子径分布を測定するので、特異的な自己相関関数や夾雑物に起因する自己相関関数等の不適切な自己相関関数に対応する散乱光強度を排除でき、正確に試料の粒子径分布を測定することができる。
【００５４】
フィルタ部材を、散乱光の光路上ではなく、光源からセルに至る測定光の光路上に設けても構わない。
その他、本発明はその趣旨を逸脱しない範囲で種々の変形が可能である。
【符号の説明】
【００５５】
１００・・・粒子径分布測定装置
２・・・セル
４・・・光源
５・・・受光素子
６・・・フィルタ部材
８１・・・測定部
【図１】
2017142240.tif 000003
【図２】
2017142240.tif 000004
【図３】
2017142240.tif 000005
【図４】
2017142240.tif 000006